(57)【要約】      （修正有）【課題】片手でも簡単に着脱ができ、カルテやレントゲンフイルム、各種ファイル、書籍、物品等の載置物の出し入れが容易に行え、載置物が載置されている棚から地震発生時等に落下するのを防止する載置物落下防止装置を提供する。【解決手段】棚１の上下棚板５で形成される載置空間６の略中間の高さ位置と対応する左右側板の前部に取り付けた雌型係合部材１０と、これら雌型係合部材に上方からの挿入により着脱可能に係合する雄型係合部材１３を長さ方向の両端部に有する落下防止用ベルト１１と、を具えている。係合した雄型係合部材が雌型係合部材から上方に抜け出るのを防止するストッパ機構が雌型係合部材及び／又は雄型係合部材に設けられている。【選択図】図１
0003178139.tif 000002
【実用新案登録請求の範囲】
【請求項１】
カルテやレントゲンフイルム、各種ファイル、書籍、物品等の載置物が、載置されている棚から地震発生時等に落下するのを防止する装置であって、
前記棚の上下棚板で形成される載置空間の略中間の高さ位置と対応する左右側板の前部に取り付けた雌型係合部材と、これら雌型係合部材に上方からの挿入により着脱可能に係合する雄型係合部材を長さ方向の両端部に有する落下防止用ベルトと、を具え、かつ前記係合した雄型係合部材が雌型係合部材から上方に抜け出るのを防止するストッパ機構が前記雌型係合部材及び／又は雄型係合部材に設けられていることを特徴とする載置物落下防止装置。
【請求項２】
雌型係合部材は、方形状の平板部と、該平板部の前面両側部から同方向に略Ｌ字状に折り曲げられて平板部との間に雄型係合部材が挿入可能な空間部を形成するとともに、両先端間が所定幅の開口部を形成し、挿入される雄型係合部材を支承可能な左右側板部と、を有している請求項１に記載の載置物落下防止装置。
【請求項３】
雄型係合部材は、雌型係合部材の空間部に挿入される第１の板部と、開口部に挿入される第２の板部とにより形成され、第２の板部にベルトの端部を連結する連結部が設けられている請求項２に記載の載置物落下防止装置。
【請求項４】
ストッパ機構は、前記雌型係合部材の平板部の上部に空間部側に張り出して設けられたストッパ片と、前記雄型係合部材の第１の板部の上部に設けられた貫通孔とからなり、雌型係合部材の空間部への雄型係合部材の挿入時に前記貫通孔がストッパ片に係止することにより抜け出しを防止するようになっている請求項３に記載の載置物落下防止装置。
【請求項５】
落下防止用ベルトは、長さ方向の任意の位置にベルトの長さを調節するためのベルト調節部材を有している請求項１ないし４のいずれかに記載の載置物落下防止装置。
【請求項６】
雌型係合部材は、取り付け面となる平板部の後面に、棚の左右側板に多段にわたり形成された穴に差し込まれる爪片が斜め下向きに一対設けられている請求項２ないし５のいずれかに記載の載置物落下防止装置。
【請求項７】
穴は、棚の上下棚板を載せるフックを引っ掛けて係合するために形成された方形のフック穴である請求項６に記載の載置物落下防止装置。
【請求項８】
雌型係合部材は、略Ｌ字状に折り曲げられ、棚の左右側板の前面側に配置される一方の平板部片と、左右側板の内側面側に配置される他方の平板部片と、からなる本体を有し、この本体の一方の平板部片の下部に雄型係合部材が挿入可能な孔部が形成された受壁が設けられている請求項１に記載の載置物落下防止装置。
【請求項９】
雄型係合部材は、全体が平板状に形成された本体を有し、この本体の一側の下部に雌型係合部材の孔部に挿入される突片が形成されているとともに、他側にベルトの端部を連結する連結部が設けられている請求項８に記載の載置物落下防止装置。
【請求項１０】
ストッパ機構は、前記雌型係合部材の一方の平板部片の上部に孔部側に張り出して設けられたストッパ片と、前記雄型係合部材の一方の平板部片の上部に設けられた貫通孔とからなり、雌型係合部材の孔部への雄型係合部材の挿入時に前記貫通孔がストッパ片に係止することにより抜け出しを防止するようになっている請求項９に記載の載置物落下防止装置。
【考案の詳細な説明】
【技術分野】
【０００１】
この考案は、例えば地震発生時等において棚に載置したカルテやレントゲンフイルム、各種ファイル、書籍、物品等の載置物が当該棚より落下するのを防止するための載置物落下防止装置に関するものである。
【背景技術】
【０００２】
例えば医療機関におけるカルテやレントゲンフイルム等の載置物を載置する棚は一般的に開き戸や引き戸型が少なく、どちらかと言えばオープン型が多い。このようなオープン型の棚に載置するカルテ等の載置物はどうしても地震の際の揺れにより棚から落ちてしまう。棚の上の天井との間に突っ張り棒を設けて棚の転倒を防止する対策を講じているところもあるが、棚の載置物までは対策が及んでいないのが現状である。
【０００３】
このような現状の下、載置物の落下を防止するものとして提案されたのが特許文献１の落下防止具であり、この落下防止具は、上下棚板で形成される載置空間の略中間の高さにおいて、先端部にオス側ワンタッチバックルを係着したベルトの後端部を棚の左右いずれかの側板の前部に固定し、先端部にメス側ワンタッチバックルを係着したベルトの後端部を、前記オス側ワンタッチバックルを係着したベルトの固定位置と反対側の側板の前部に固定し、各ベルトのワンタッチバックルと側板の固定手段との間にベルトの長さを調節するためのベルト留めを係着し、オス側ワンタッチバックルとメス側ワンタッチバックルを嵌着したときに緩みなく左右の側板間の前面にベルトを張設できる構造となっている。
【０００４】
しかして、前記落下防止具にあっては、明細書の段落０００９に記載のように、それを用いれば、地震発生時等に大きな横揺れと縦揺れが同時に起こっても棚に載置したファイルや書籍等の前面にベルトが張設されているため、前記ファイルや書籍等が当該棚より落下するのを確実に防止することができ、また、ベルトの固定やベルトの長さ調節が容易であることから既存の棚への装着が容易であり、さらに、ベルトやワンタッチバックルおよびベルト留めなどの主な部材は安価であるため、載置物落下防止具として構成した場合も安価である、という作用効果が期待される。
【０００５】
しかし、前記落下防止具は、ベルトの中央部にワンタッチバックル３，４があるタイプであるため、必ず両手を使わないと使用できず、作業する者が片手で載置物を持っている状態でワンタッチバックル３，４を着脱することができない。そのため、一旦載置物をどこか近場に置いたうえでの作業となり、載置物の出し入れが煩雑になるという問題があった。また、ワンタッチバックル３，４がベルトの中央部にあるため、はずれたワンタッチバックル３，４を再び嵌着するために引き寄せて作業するのに左右側板間の幅が広い棚の場合、やりにくく作業性が悪いという問題もある。
【先行技術文献】
【特許文献】
【０００６】
【特許文献１】実用新案登録第３１７０５３９号公報
【考案の概要】
【考案が解決しようとする課題】
【０００７】
そこでこの考案は、前記のような従来の問題を解決して、片手でも簡単に着脱ができ、載置物の出し入れが容易に行える載置物落下防止装置を提供することを目的とする。
【課題を解決するための手段】
【０００８】
前記目的を達成するために、請求項１に記載の考案は、カルテやレントゲンフイルム、各種ファイル、書籍、物品等の載置物が、載置されている棚から地震発生時等に落下するのを防止する装置であって、前記棚の上下棚板で形成される載置空間の略中間の高さ位置と対応する左右側板の前部に取り付けた雌型係合部材と、これら雌型係合部材に上方からの挿入により着脱可能に係合する雄型係合部材を長さ方向の両端部に有する落下防止用ベルトと、を具え、かつ前記係合した雄型係合部材が雌型係合部材から上方に抜け出るのを防止するストッパ機構が前記雌型係合部材及び／又は雄型係合部材に設けられていることを特徴とする。
【０００９】
請求項２に記載の考案は、請求項１に記載の載置物落下防止装置において、雌型係合部材は、方形状の平板部と、該平板部の前面両側部から同方向に略Ｌ字状に折り曲げられて平板部との間に雄型係合部材が挿入可能な空間部を形成するとともに、両先端間が所定幅の開口部を形成し、挿入される雄型係合部材を支承可能な左右側板部と、を有していることを特徴とする。
【００１０】
請求項３に記載の考案は、請求項２に記載の載置物落下防止装置において、雄型係合部材は、雌型係合部材の空間部に挿入される第１の板部と、開口部に挿入される第２の板部とにより形成され、第２の板部にベルトの端部を連結する連結部が設けられていることを特徴とする。
【００１１】
請求項４に記載の考案は、請求項３に記載の載置物落下防止装置において、ストッパ機構は、前記雌型係合部材の平板部の上部に空間部側に張り出して設けられたストッパ片と、前記雄型係合部材の第１の板部の上部に設けられた貫通孔とからなり、雌型係合部材の空間部への雄型係合部材の挿入時に前記貫通孔がストッパ片に係止することにより抜け出しを防止するようになっていることを特徴とする。
【００１２】
請求項５に記載の考案は、請求項１ないし４のいずれかに記載の載置物落下防止装置において、落下防止用ベルトは、長さ方向の任意の位置にベルトの長さを調節するためのベルト調節部材を有していることを特徴とする。
【００１３】
請求項６に記載の考案は、請求項２ないし５のいずれかに記載の載置物落下防止装置において、雌型係合部材は、取り付け面となる平板部の後面に、棚の左右側板に多段にわたり形成された穴に差し込まれる爪片が斜め下向きに一対設けられていることを特徴とする。請求項７に記載の考案は、請求項６に記載の載置物落下防止装置において、穴は、棚の上下棚板を載せるフックを引っ掛けて係合するために形成された方形のフック穴であることを特徴とする。
【００１４】
請求項８に記載の考案は、請求項１に記載の載置物落下防止装置において、雌型係合部材は、略Ｌ字状に折り曲げられ、棚の左右側板の前面側に配置される一方の平板部片と、左右側板の内側面側に配置される他方の平板部片と、からなる本体を有し、この本体の一方の平板部片の下部に雄型係合部材が挿入可能な孔部が形成された受壁が設けられていることを特徴とする。
【００１５】
請求項９に記載の考案は、請求項８に記載の載置物落下防止装置において、雄型係合部材は、全体が平板状に形成された本体を有し、この本体の一側の下部に雌型係合部材の孔部に挿入される突片が形成されているとともに、他側にベルトの端部を連結する連結部が設けられていることを特徴とする。
【００１６】
請求項１０に記載の考案は、請求項９に記載の載置物落下防止装置において、ストッパ機構は、前記雌型係合部材の一方の平板部片の上部に孔部側に張り出して設けられたストッパ片と、前記雄型係合部材の一方の平板部片の上部に設けられた貫通孔とからなり、雌型係合部材の孔部への雄型係合部材の挿入時に前記貫通孔がストッパ片に係止することにより抜け出しを防止するようになっていることを特徴とする。
【考案の効果】
【００１７】
この考案は、前記のようであって、請求項１ないし５に記載の考案は、前記のような構成からなるので、地震発生時等に大きな横揺れと縦揺れが同時に起こっても棚に載置した載置物の落下をその前面に張られる落下防止用ベルトにより防止することができる。また、棚側の雌型係合部材と落下防止用ベルト側の雄型係合部材の着脱を、片手でも簡単に着脱ができる。したがって、載置物を空いた方の手で持ったままの作業が可能となり、載置物の出し入れが容易に行うことができる。また、棚側の雌型係合部材と着脱する雄型係合部材がベルトの両端部にある構造のため、左右側板間の幅が広い棚にも十分に対応でき、作業性がよい。また、一旦係合した雄型係合部材が雌型係合部材から上方に抜け出るのをストッパ機構により防止することができ、地震等にも対応可能であるし、安全性も高い。しかも、雌型係合部材を棚の材質によって両面テープやビス等により簡単に取り付けることも可能となる等、優れた効果がある。
【００１８】
請求項６，７に記載の考案は、前記のような構成からなるので、雌型係合部材の取り付けを棚に多段にわたり形成された穴を利用して行うことができるのに加え、このような多段穴が形成された既存の棚の活用も図れる効果がある。
【００１９】
請求項８ないし１０に記載の考案は、前記のような構成からなるので、請求項１ないし５に記載の考案と同様な効果が期待できるのに加え、ベルトを棚板の最前面位置となるように張ることが可能となり、載置物が棚の奥行き寸法と変わらない大きさであっても、ベルトを前面側に突き出すような形にはならず、従来のような不具合が生じることなく、載置することができる。また、一方の平板部片と他方の平板部片の二つの部分での取り付けとなるため、より取り付け強度が増し、安定した取り付け状態を維持することが可能となる効果がある。
【図面の簡単な説明】
【００２０】
【図１】この考案の実施の形態１に係る載置物落下防止装置をカルテ収納棚に適用して示す一部省略の正面図である。
【図２】（Ａ）は図１のＡ部拡大の正面図、（Ｂ）は同平面図である。
【図３】棚側に取り付けられる雌型係合部材とベルト側の雄型係合部材の係合前の状態を示す斜視図である。
【図４】同上の係合した状態を示す斜視図である。
【図５】雌型係合部材の取り付け態様の変形例を示す部分斜視図である。
【図６】（Ａ）は同上の取り付け前の状態を示す斜視図、（Ｂ）は取り付け状態の断面図である。
【図７】この考案の実施の形態２に係る載置物落下防止装置をカルテ収納棚に適用して示す一部省略の正面図である。
【図８】（Ａ）は図７のＡ部拡大の正面図、（Ｂ）は同平面図である。
【図９】棚側に取り付けられる雌型係合部材とベルト側の雄型係合部材の係合前の状態を示す斜視図である。
【図１０】同上の係合した状態を示す斜視図である。
【考案を実施するための形態】
【００２１】
以下に、この考案の実施の形態を、添付した図面を参照しながら詳細に説明する。
【００２２】
＜実施の形態１＞
図１〜４は実施の形態１を示す。図１において１はカルテ収納棚、２は載置物落下防止装置である。カルテ収納棚１は左右の側板３，４と、該側板間に多段に設けられた上下の棚板５とからなり、側板３，４と上下棚板５で載置物であるカルテＷの載置空間６が形成されている。
【００２３】
載置物落下防止装置２は、載置空間６の略中間の高さ位置と対応する側板３，４の前部における相対向する内側面に取り付けられた一対の雌型係合部材１０と、落下防止用ベルト１１とからなっている。落下防止用ベルト１１は、図２にも示すように軟質塩ビや布等の材質からなる所定長さの本体１２を有し、該本体の長さ方向の両端部に雌型係合部材１０と着脱可能に係合する雄型係合部材１３が設けられているとともに、長さ方向の任意の位置にベルト１１の長さを調節するためのベルト調節部材１４が設けられている。ベルト調節部材１４は雄型係合部材１３が雌型係合部材１０に係合するのに支障がない長さにベルト１１の長さを調節し、係合後にはベルト１１が載置したカルテＷの前面に緩みなく張られた形態となるようにするものである。このベルト調節部材１４は従来より知られている方形状の二つの輪をもって構成されるが、同効のものであれば他の公知の代替品で置き換えてもよい。なお、ベルト調節部材１４を有するとはいえ、常時適度の張力をもってベルト１１を張るのは難しいので、必要によってはベルト１１の長さ方向の一部又は全部をゴムなど弾性体で形成するのが好ましい。また、ベルト１１を軟質塩ビ製とする場合は、ベルト全体を透明とするのが好ましい。そうすることによって載置物が見やすくなり誤載置を防止できる。この例ではベルト調節部材１４はベルト１１の本体１２の両端部にそれぞれ１個ずつ設けているが、個数には制限されない。
【００２４】
棚１側に設けられた一対の雌型係合部材１０は互いに同じ形状構造からなるので、ここではその一方についてのみ説明する。図３，４に示すように、雌型係合部材１０は全体がステンレス等の金属からなり、縦長の長方形状の平板部１６と、該平板部の両側部において同方向に略Ｌ字状に折り曲げられて平板部１６との間に雄型係合部材１３が挿入可能な空間部１７を形成するとともに、両先端間が所定幅の開口部１８を形成し、挿入される雄型係合部材を支承可能な左右側板部１９と、を有している。２０は雄型係合部材１３の下端を支承する受部２０で、両側板部１９の下端部を内向きに湾曲させて形成されている。勿論、このような受部２０でなく、両側板部１９間の平板部１６下部に別途受部を形成してもよい。要するに挿入された雄型係合部材１３を支承できればよい。平板部１６の上部にはストッパ片２２が設けられている。２３は平板部１６に貫通して設けられたビス穴等の取付用穴である。
【００２５】
ベルト１１側に設けられた雄型係合部材１３も左右同じ形状構造からなるので、ここではその一方のみ説明する。図３，４に示すように、雄型係合部材１３は、雌型係合部材１０と同じ材質からなり、全体が雌型係合部材１０の空間部１７に挿入可能な大きさの縦長の長方形状に形成された平板部２６（第１の板部）と、該平板部の前面中央に縦向きに突設され、側面にベルト挿通用の長穴２７が形成された突板部２８（第２の板部）とを有している。突板部２８上方の平板部２６には横に長く、前記ストッパ片２２に挿通して係止し、ストッパ片２２とともにストッパ機構２１を構成する貫通孔２９が形成されている。この例では雌型係合部材１０と雄型係合部材１３の材質を金属としているが、必ずしも金属でなくともよく、剛性のある材質であれば任意のものを採用することが可能である。
【００２６】
次に使用方法について説明する。まずベルト１１を取り付ける棚１の任意の載置空間６のある側板３，４の内側面に雌型係合部材１０を相対向するように取り付ける。取り付けに際しては、例えば棚１が木製の場合、平板部１６に設けた取付用穴２３を利用して図示しないビスにより取り付けるのが一般的であるが、棚１がビスによる取り付けに適さない材質、例えばスチール製の場合は、超強力両面テープや超強力接着剤等、任意の手段を用いる。このようにして側板３，４の前部における相対向する内側面であって、載置空間６の略中間の高さ位置に雌型係合部材１０の取り付けが終わると、棚１側の準備が完了する。図１では中間の高さよりやや下側位置にベルト１１を張っているが、これより上方位置に張ってもよい。
【００２７】
棚１側の準備が完了したら、今度はこの棚１側の雌型係合部材１０を利用してベルト１１を装着する。すなわち、ベルト１１を装着するには、ベルト１１の一方の端部にある雄型係合部材１３を図３に示すように片手で持って、一方の側板３に固定した雌型係合部材１０の側板部１９で形成された空間部１７にその上方から挿入する。
【００２８】
挿入に際して、雌型係合部材１０の平板部１６の上部にはストッパ片２２が突き出ているので、雄型係合部材１３の突板部２８が開口部１８に納まるようにし、かつ前面側に引き寄せるようにして雄型係合部材１３を挿入すると、雄型係合部材１３はスムーズに入る。そして、図４に示すように雄型係合部材１３の平板部２６の下端が雌型係合部材１０の両側板部１９の受部２０に載ると、それ以上の挿入ができなくなるとともに、貫通孔２９とストッパ片２２が図示のように係止し合う関係となる。これにより、雄型係合部材１３は上部が貫通孔２９とストッパ片２２と係止した状態、かつ下部が受部２０に支承されて両側板部１９で保持された状態となる。これで一方側の取り付けが終わる。そして、他方側も同様にして取り付ける。
【００２９】
ベルト１１の両端部の取り付けが終わった後、ベルト１１の張りの調節をベルト調節部材１４で行う。ベルト調節部材１４は前記のような二つの輪からなっているので、それに巻きついているベルトを緩めたり締めたりすることにより、ベルト１１を適度の張りに調節する。これによりベルト１１が緩みなく左右の側板３，４間の前面に張設されることになる。
【００３０】
前記のような載置物落下防止装置２が取り付けられた載置空間６にカルテＷを載置するには、ベルト１１の一方の雄型係合部材１３を、貫通孔２９とストッパ片２２との係止を解いて上方に持ち上げると、簡単に一方側を外すことができるので、カルテＷの載置ができる。このとき、従来例で示した前記したようなタイプだと両手でないとベルトの解除ができず、そのため手に持っていたカルテＷを一旦別の場所に置く等のことが必要であったが、ここに示したベルト１１ではベルトの解除が片手でできるので、カルテＷの載置がより簡単であり、作業も容易である。
【００３１】
また、棚１側の雌型係合部材１０と着脱する雄型係合部材１３がベルト１１の両端部にある構造のため、側板３，４間の幅が広い棚にも十分に対応できる。そのため従来のように作業がやりにくいということがない。
【００３２】
また、カルテＷが載置された状態で地震等が発生し、大きな横揺れと縦揺れが同時に起こった場合でも、カルテＷの前面側にベルト１１が張られているため棚板５上からカルテが落下するようなことがない。しかも、縦揺れでベルト１１の雄型係合部材１３に上方への力が作用しても貫通孔２９とストッパ片２２との係止によりストッパがかかった状態になっているため、雄型係合部材１３は雌型係合部材１０から妄りに外れることもない。
【００３３】
なお、ベルト１１の取り付け位置は、落下防止の効果をより発揮させるためにはなるべくカルテ（載置物）の高さの中央部が好ましい。また、このタイプの雌型係合部材１０は取付用穴２３を有するため、ビスを利用したり、あるいは両面テープや接着剤を利用したり、どんな材質の棚にも対応できるため幅広い使われ方が可能である。
【００３４】
図５，６は雌型係合部材の取り付け態様の変形例を示す。この変形例は棚の左右側板の内側面前部に形成された棚板用の多段穴を利用して雌型係合部材を容易に取り付けができるようにした点でのみ前記したものと相違する。
【００３５】
すなわち、この変形例では棚１の左右側板３（４）の内側面前部に棚板５用の方形穴３２が多段に形成されている。また、雌型係合部材１０の平板部１６の後面には前記のようなビス穴孔等の取付用穴２３が設けられていない代わりに、方形穴３２に差し込んで取り付ける爪片３３が斜め下向きに穴３２と同間隔ピッチで一対設けられている。そして、この爪片３３を図のように任意の二つの方形穴３２に差し込むことにより雌型係合部材１０を棚１に容易に、しっかり取り付けることが可能となる。
【００３６】
このような変形例にあっては、方形穴３２が多段に形成された棚にも該穴を利用して容易に雌型係合部材１０を取り付けることができ、その取り付けが至便となる。方形穴３２としては既存の棚にあるような棚の上下棚板を載せるフックを引っ掛けて係合するために形成された方形のフック穴でもよく、この場合には既存の棚の有効活用にもつながる利点がある。すなわち、前記のような方形のフック穴はその大きさやピッチがメーカによりまちまちであるのが現状である。そこで、この各メーカごとに異なる態様のフック穴に適合するように爪片３３を製作しておけば、それぞれのメーカの棚にも対応することができることになる。また、前記のようなビスや両面テープ等を使用しなくとも雌型係合部材１０の取り付けが可能となるとともに、取り外しにも迅速に対応することが可能になり、簡便なものとなる。
【００３７】
＜実施の形態２＞
図７〜１０は実施の形態２を示す。前記実施の形態１と異なるのは、ベルト１１が棚板５の最前面位置となるように取り付けが可能になっている点である。実施の形態１の場合は、図２（Ｂ）から明らかなようにベルト１１が棚板５の最前面位置よりやや奥行き位置になるように取り付けられるので、棚の奥行き寸法と変わらない載置物を載置すると、載置物がベルト１１を前面側に突き出すような形になり、係合操作もやりにくいということがある。この実施の形態２は、このような不具合が生じないようにしたものである。
【００３８】
４０は棚１側に設けられた一対の雌型係合部材、４１はベルト１１側に設けられた雄型係合部材である。雌型係合部材４０は互いに同じ形状構造からなるので、ここではその一方についてのみ説明する。図９，１０に示すように、雌型係合部材４０は全体がステンレス等の金属からなり、略Ｌ字状に折り曲げられた本体４３を有している。本体４３は一方の平板部片４３ａと他方の平板部片４３ｂからなり、一方の平板部片４３ａは棚１の側板３（４）のコーナーを利用してその前面に配置され、他方の平板部片４３ｂは側板３（４）の内側面に配置されるようになっている。一方の平板部片４３ａの下部には雄型係合部材４１の後記突片が挿入可能な孔部４５が形成された受壁４６が設けられている。孔部４５は突片挿入のため上方が開口し、それ以外は閉塞した構造になっている。同上部にはストッパ片４７が設けられている。４８は一方の平板部片４３ａ及び他方の平板部片４３ｂに貫通して設けられたビス穴等の取付用穴である。
【００３９】
雄型係合部材４１も左右同じ形状構造からなるので、ここではその一方のみ説明する。図９，１０に示すように、雄型係合部材４１は、雌型係合部材４０と同じ材質からなり、全体が平板状に形成された本体５０を有している。本体５０の一側の下部には受壁４６の孔部４５に挿入される突片５１が先端を下向きにして形成されている。突片５１の上方には横に長く、前記ストッパ片４７に挿通して係合し、ストッパ片４７とともにストッパ機構５２を構成する貫通孔５３が形成されている。本体５０の他側にはベルト挿通用の長穴５５が形成されている。この例でも雌型係合部材４０と雄型係合部材４１の材質は必ずしも金属でなくともよく、剛性のある材質であれば任意のものを採用することが可能である。
【００４０】
この実施の形態２においては、雌型係合部材４０は図示から明らかなように棚１の側板３，４のコーナー部に合わせて取り付ける。この取り付けにより雌型係合部材４０の受壁４６やストッパ片４７は側板３，４の前面よりやや突出した状態となる。
【００４１】
棚１側の準備が完了したら、今度はこの棚１側の雌型係合部材４０を利用してベルト１１を装着する。すなわち、ベルト１１を装着するには、ベルト１１の一方の端部にある雄型係合部材４１を図９に示すように片手で持って、一方の側板３に固定した雌型係合部材４０の受壁４６により形成された孔部４５にその上方から突片５１を挿入する。そして、図示のように貫通孔５３をストッパ片４７に係止させると、雄型係合部材４１は上部が貫通孔５３とストッパ片４７とが係止した状態、かつ下部が受壁４６の孔部４５に係合した状態となる。これで一方側の取り付けが終わる。そして、他方側も同様にして取り付ける。
【００４２】
前記のように雌型係合部材４０と雄型係合部材４１の係合が終わると、ベルト１１は図８（Ｂ）から明らかなように棚板５の最前面位置となるように張られた状態となる。したがって、カルテＷが棚の奥行き寸法と変わらない大きさであっても、ベルト１１を前面側に突き出すような形にはならず、従来のような不具合が生じない。すなわち、このタイプはカルテＷ（カルテホルダ）の奥行きが棚の奥行きに近い棚に特に向いており、カルテのぎりぎりのところでベルトを掛けられ、取り外しも容易になる。
【００４３】
この実施の形態２の場合においても、載置空間６にカルテＷを載置するには、ベルト１１の一方の雄型係合部材４１を、貫通孔５３とストッパ片４７との係止を解いて上方に持ち上げると、簡単に一方側を外すことができ、このとき、従来例で示した前記したようなタイプだと両手でないとベルトの解除ができず、そのため手に持っていたカルテＷを一旦別の場所に置く等のことが必要であったが、ここに示したタイプのベルト１１ではベルトの解除が片手でできるので、カルテＷの載置がより簡単であり、作業も容易であることは実施の形態１と同様である。
【００４４】
また、カルテＷが載置された状態で地震等が発生し、大きな横揺れと縦揺れが同時に起こった場合でも、カルテＷの前面側にベルト１１が張られているため棚板５上からカルテＷが落下するようなことがない。しかも、縦揺れでベルト１１の雄型係合部材４１に上方への力が作用しても貫通孔５３とストッパ片４７との係合によりストッパがかかった状態になっているため、雄型係合部材４１は雌型係合部材４０から妄りに外れることもないことも実施の形態１と同様である。
【００４５】
一方の平板部片４３ａは棚１の側板３（４）の前面に、他方の平板部片４３ｂは側板３（４）の内側面に、それぞれ二つの部分で取り付けられるため、取り付け強度が増し、安定した取り付け状態を維持することが可能となる。
【００４６】
なお、前記の実施の形態１，２ではカルテ収納棚１に適用してカルテＷの落下防止を行うものを示したが、これは一例であり、カルテ以外の書籍や各種ファイル類等、載置物であれば任意のものに対しても効果が期待できる。
【００４７】
また、実施の形態１，２ではストッパ機構２１，５２を雌型係合部材１０，４０に設けたストッパ片２２，４７と雄型係合部材１３，４１に設けた貫通孔２９，５３とにより構成したが、必ずしも雌型係合部材と雄型係合部材の両部材にわたり設けなくともよく、そのいずれかに設けるだけで雄型係合部材の雌型係合部材からの抜け出し防止が可能であれば、そのような設計としてもよい。また、ストッパ機構２１，５２を構成する図示のストッパ片２２，４７と貫通孔２９，５３も好ましい一例にすぎず、他の構成としてもよいことは言うまでもない。さらに、構成部材の細部設計は、図示した形態に限られず、実用新案登録請求の範囲で適宜変更可能であることは云うまでもない。
【符号の説明】
【００４８】
１  カルテ収納棚
２  載置物落下防止装置
３，４  側板
５  棚板
６  載置空間
１０，４０  雌型係合部材
１１  落下防止用ベルト
１３，４１  雄型係合部材
１４  ベルト調節部材
１６  平板部
１７  空間部
１８  開口部
１９  側板部
２０  受部
２１，５２  ストッパ機構
２２，４７  ストッパ片
２６  平板部（第１の板部）
２７，５５  長穴（連結部）
２８  突板部（第２の板部）
２９  貫通孔
３２  方形穴
３３  爪片
４３  本体
４３ａ  一方の平板部片
４３ｂ  他方の平板部片
４５  孔部
４６  受壁
５１  突片
５３  貫通孔
Ｗ  カルテ（載置物）
【図１】
0003178139.tif 000003
【図２】
0003178139.tif 000004
【図３】
0003178139.tif 000005
【図４】
0003178139.tif 000006
【図５】
0003178139.tif 000007
【図６】
0003178139.tif 000008
【図７】
0003178139.tif 000009
【図８】
0003178139.tif 000010
【図９】
0003178139.tif 000011
【図１０】
0003178139.tif 000012